(57)【特許請求の範囲】
【請求項１】
バックライト装置と、
液晶層と、
該液晶層の第１の面に配置されると共に、第１の偏光軸を有する第１偏光板と、
該液晶層の第２の面に配置されると共に、該第１の偏光軸と直交する第２の偏光軸と第１の偏光度を有する第２偏光板と、
該第２偏光板に直接的あるいは間接的に重ねて配置されると共に、該第２の偏光軸と該第１の偏光度を有する第３偏光板とを具備し、
前記第３偏光板は前記第２偏光板に接着されていることを特徴とする液晶表示装置。
【請求項２】
バックライト装置と、
一対の透明基板と該一対の透明基板間に封入された液晶層を有する液晶パネルと、
該液晶パネルの第１の面に配置されると共に、第１の偏光軸を有する第１偏光板と、
該液晶パネルの第２の面に配置されると共に、該第１の偏光軸と直交する第２の偏光軸と第１の偏光度を有する第２偏光板と、
該第２偏光板に直接的あるいは間接的に重ねて配置されると共に、該第２の偏光軸と該第１の偏光度を有する第３偏光板を具備し、
前記第３偏光板は前記第２偏光板に接着されていることを特徴とする液晶表示装置。
【請求項３】
前記第２及び第３偏光板は、前記液晶層側から順に第１粘着剤層と、該第１粘着剤層上に配置された第１保護層と、該第１保護層上に配置された第１偏光子と、該第１偏光子上に配置された第２保護層と、該第２保護層上に配置された第２粘着剤層と、該第２粘着剤層上に配置された第３保護層と、該第３保護層上に配置された第２偏光子と、該第２偏光子上に配置された第４保護層と、該第４保護層上に配置された第１保護フィルムとから構成される請求項１又は２記載の液晶表示装置。
【請求項４】
前記第２及び第３偏光板は、前記第２保護層と前記第２粘着剤層との間に介装された第２保護フィルムを更に含む請求項３記載の液晶表示装置。
【請求項５】
前記第２偏光板と前記第３偏光板の間に介装されたタッチパネルを更に具備し、
該タッチパネルは前記第２偏光板に接着され、前記第３偏光板は前記タッチパネルに接着されている請求項１〜４の何れかに記載の液晶表示装置。
【発明の詳細な説明】
【０００１】
【発明の属する技術分野】
本発明は液晶表示装置に関する。
【０００２】
【従来の技術】
従来から、透過型の液晶パネルの裏面側に、これと同形状のバックライト装置を平行に配置し、バックライト装置により液晶パネルの後方から光を照射するように構成された液晶表示装置が知られている。
【０００３】
液晶パネルは、例えばシール、スペーサ等を介して互いに重ね合わせた透明電極基板の間に液晶を封入して構成される。液晶パネルの両透明電極基板上にはそれぞれ偏光板が接着されている。
【０００４】
一般的な液晶表示装置は図１及び図２に示すような構造を有している。最高階調時に、即ち白表示時には、バックライト装置２からの光が第１の偏光軸を有する偏光板４に照射される。このとき、偏光板４はその偏光軸方向と平行に振動する光のみを透過し、その他の光を吸収する。
【０００５】
よって、偏光板４の透過光は直線偏光となり、この直線偏光が液晶層６で符号７で示すようにその偏光面が９０度回転されて偏光板８に照射される。偏光板８は偏光板４の偏光軸と直交する第２の偏光軸を有しており、液晶層６で偏光面が９０度回転された光は偏光板８を透過して、白が表示される。
【０００６】
図２は零階調時、即ち黒表示時の動作を示している。黒表示時には、偏光板４の透過光は液晶層６でその偏光面が回転されずに液晶層６をそのまま透過する。よって、液晶層６の透過光の偏光面と偏光板８の偏光軸は直交しているので、ほとんどの光は偏光板８で吸収され、黒が表示される。
【０００７】
【発明が解決しようとする課題】
液晶表示装置は年々高輝度化が進み、コントラストも向上してきている。輝度が高くなるにつれて黒表示時に偏光板８を漏れてしまう漏れ光９の程度が高くなり、黒表示時の輝度が上昇して表示品位上問題となっている。
【０００８】
この現象は所謂黒浮きと呼ばれ、例えば、ディジタル・バーサタイル・ディスク（ＤＶＤ）に格納された映画の映像は暗い表示が多く、このとき黒が薄明るく表示されると見栄えが悪くなり非常に見難いという問題がある。光源（バックライト装置）と偏光板の性能のバランスが取れないためにこういった問題が生じている。
【０００９】
高輝度を達成するために、バックライト装置の能力は年々向上している。しかし、階調零レベルの輝度に関しては照射されるバックライトの輝度が向上しているのに対して、偏光板の光を遮蔽する能力が追いついていない。即ち、偏光軸を直交させて液晶層の両側に配置した一対の偏光板による構造だけでは黒表示時の偏光板の漏れ光を完全に防止することはできない。
【００１０】
特開２０００−１８０８４３号公報には、液晶パネルの入射光側に複数の偏光板を配置して耐熱性と耐光性を向上した液晶表示装置が開示されている。液晶パネルの入射光側に複数の偏光板を配置して、最初の偏光板で不要な光の大半を吸収することで次の偏光板への熱的な負担を軽減し、耐熱性及び耐光性を向上させたものであり、黒表示時の漏れ光を防止してコントラストを向上するのにはあまり効果がないと考えられる。
【００１１】
特開平１０−１３３１９６号公報には、液晶パネルの出射光側に同一の偏光軸を有する複数の偏光板を配置した液晶表示装置が開示されている。この液晶表示装置では、液晶パネル側の偏光板の偏光度を小さく、外側の偏光板の偏光度を大きくし、これにより偏光板に生じる熱の分散を図っている。
【００１２】
この液晶表示装置は発熱量の多い液晶プロジェクタには有効であるが、コントラストを向上するためには偏光度の高い偏光板が複数枚必要であるため、この液晶表示装置は総合的なコントラストの向上、即ち表示品位の向上には適していない。
【００１３】
よって、本発明の目的は、コントラストを向上して表示品位を改善可能な液晶表示装置を提供することである。
【００１４】
【課題を解決するための手段】
本発明の一側面によると、バックライト装置と、液晶層と、該液晶層の第１の面に配置されると共に、第１の偏光軸を有する第１偏光板と、該液晶層の第２の面に配置されると共に、該第１の偏光軸と直交する第２の偏光軸と第１の偏光度を有する第２偏光板と、該第２偏光板に直接的あるいは間接的に重ねて配置されると共に、該第２の偏光軸と該第１の偏光度を有する第３偏光板とを具備し、前記第３偏光板は前記第２偏光板に接着されていることを特徴とする液晶表示装置が提供される。
【００１５】
液晶層に対して出射光側に同一の偏光軸及び偏光度を有する２枚の偏光板を配置したことにより、黒表示時の偏光板の透過率を抑制することができ、更に黒表示以外の偏光板の透過率低下を最低限に抑えることができる。これにより、表示画像のコントラストが向上し、コントラスト向上による視野角の向上も図ることができる。
【００１６】
第２及び第３偏光板は、例えば、液晶層側から順に第１粘着剤層と、第１粘着剤層上に配置された第１保護層と、第１保護層上に配置された第１偏光子と、第１偏光子上に配置された第２保護層と、第２保護層上に配置された第２粘着剤層と、第２粘着剤層上に配置された第３保護層と、第３保護層上に配置された第２偏光子と、第２偏光子上に配置された第４保護層と、第４保護層上に配置された保護フィルムを含んでいる。
【００１７】
好ましくは、液晶表示装置は第２偏光板と第３偏光板の間に介装されたタッチパネルを更に具備している。タッチパネルは第２偏光板に接着され、第３偏光板はタッチパネルに接着されている。
【００１８】
本発明の他の側面によると、バックライト装置と、一対の透明基板と該一対の透明基板間に封入された液晶層を有する液晶パネルと、該液晶パネルの第１の面に配置されると共に、第１の偏光軸を有する第１偏光板と、該液晶パネルの第２の面に配置されると共に、該第１の偏光軸と直交する第２の偏光軸と第１の偏光度を有する第２偏光板と、該第２偏光板に直接的あるいは間接的に重ねて配置されると共に、該第２の偏光軸と該第１の偏光度を有する第３偏光板を具備し、前記第３偏光板は前記第２偏光板に接着されていることを特徴とする液晶表示装置が提供される。
【００１９】
好ましくは、液晶表示装置は第２偏光板と第３偏光板の間に介装されたタッチパネルを更に具備している。第２偏光板は液晶パネルに接着され、タッチパネルは第２偏光板に接着され、第３偏光板はタッチパネルに接着されている。
【００２１】
【発明の実施の形態】
図３を参照して、まず本発明の原理について説明する。バックライト装置２から出射されたバックライト光は第１の偏光軸を有する偏光板４に照射される。このとき、偏光板４はその偏光軸方向と平行に振動する光のみを透過し、その他の光を吸収する。その結果、偏光板４の透過光は直線偏光となる。
【００２２】
零階調表示時、即ち黒表示時には、偏光板４の透過光の偏光面は液晶層４により回転されずに液晶層６をそのまま透過する。液晶層６の出射光側に配置された偏光板８は、偏光板４の偏光軸と直交する第２の偏光軸と、第１の偏光度（例えば９９．９５％の偏光度）を有している。
【００２３】
以上の構成は図２に示した従来の液晶表示装置と同様である。本発明は、液晶層６に対して光の出射側に偏光板８に近接して、偏光板８の偏光軸及び偏光度と同じ偏光軸及び偏光度を有する偏光板１０を配置した点に特徴がある。
【００２４】
このように、偏光板８と同一の偏光軸及び偏光度を有する偏光板１０を液晶層６に対して光の出射側に配置したため、偏光板８から漏れ出した光９は偏光板１０により完全に阻止され、黒表示時の輝度の上昇を防止することはできる。その結果、液晶表示装置のコントラストが向上し、表示品位を改善することができる。
【００２５】
図４はバックライト装置２の概略断面図を示している。符号１２は導光板であり、冷陰極管１４から出射された光は直接又はリフレフター１４で反射された後、導光板１２の側面から導光板１２内に入射する。
【００２６】
導光板に入射した光は、導光板１２内及び導光板の裏面に設けられた図示しない反射板で多重反射を繰り返した後、導光板１２の前面から出てくる。１８はプラスチックフレームである。
【００２７】
偏光板８，１０の断面図を図５に示す。偏光板８，１０は、粘着剤層２０と、トリアセチルセルロース等から形成された保護層２２と、ポリビニルアルコール膜等から形成された偏光子２４と、保護層２６と、保護フィルム２８がこの順に積層されて構成されている。
【００２８】
偏光板の改善には透過率及び偏光度の改善が重要であり、透過率は偏光板の使い方、即ち偏光板の組み合わせ方で表１のように３種類に大別できる。
【００２９】
【表１】
0003801890.tif 000002
【００３０】
表１で単体とは、偏光板１枚を使用したときの光の透過率で、その透過光における偏光成分比を偏光度という。即ち、偏光度とは、部分偏光を自然光と偏光との合成と見なし、自然光の強度をＩｎ、偏光の強度をＩｐとしたときに、Ｉｐ／（Ｉｐ＋Ｉｎ）で表される値である。
【００３１】
表１で平行とは、互いに平行な偏光軸を有する２枚の偏光板を配置したときの状態であり、通常の液晶表示装置においては白表示時の状態をいう。直交とは、偏光軸が直交するように２枚の偏光板を配置したときの状態であり、液晶表示装置においては黒表示時の状態をいう。
【００３２】
偏光度は偏光板の基本要素である偏光子の分子の並び方の均一性に依存する。この分子の並び方の均一性を向上させるために、偏光板の製造工程で延伸の仕方や分子の浸透方法等、様々な工夫が成されているが、現状では偏光度は最大で９９．９７％程度である。偏光度を向上させると透過率の低下に繋がるので、偏光度と透過率を両立した改善は困難である。
【００３３】
よって本発明では、光の出射側に偏光軸が平行となるように複数の偏光板を配置し、これらの偏光板の偏光軸は光の入射側の偏光板の偏光軸と直交するように配置することで、黒表示時の偏光板の漏れ光を防止するようにしたものである。さらに、出射光側の複数の偏光板の偏光度を同一に設定することで、黒表示時以外の偏光板の透過率低下を最低限に抑えるようにした点に特徴を有する。
【００３４】
図６に示すように、表１の特性を有する偏光板４，８，１０を液晶層６の両側に配置する。偏光板８と偏光板１０は偏光軸が平行で同一の偏光度９９．９５％を有している。偏光板４の偏光軸と偏光板８，１０の偏光軸は直交する。偏光板４の偏光度も９９．９５％である。
【００３５】
表示の鮮やかさの度合としてコントラスト＝白輝度／黒輝度という数値がある。光源（バックライト装置）から偏光板４への入射光の輝度５００ｃｄ／ｍ2、液晶層６の透過率を仮に１００％と仮定すると、偏光板８を透過する光の輝度は下記の通りである。
【００３６】
白表示＝平行＝５００ｃｄ／ｍ2×０．３７５＝１８７．５ｃｄ／ｍ2
黒表示＝直交＝５００ｃｄ／ｍ2×０．０００２＝０．１ｃｄ／ｍ2
コントラスト＝１８７．５／０．１＝１８７５
しかし、偏光板１０を追加するすることで表示装置の最終的な表示輝度は以下のようになる。偏光板８から偏光板１０に入射する光はその９９．９５％が偏光されており、０．０５％が偏光されていないため偏光板１０にて吸収されると仮定する。同じ偏光軸を有する複数の偏光板を透過する際の透過率の差は、
０．３７５／０．４３２＝８６．８％
の透過損失のみであるので、白表示時の輝度は、
白表示＝平行＝１８７．５ｃｄ／ｍ2×０．８６８×０．９９９５＝１６２．７ｃｄ／ｍ2
となる。
【００３７】
また黒表示時は、偏光板８の透過光の偏光軸は偏光板１０の偏光軸と異なるため、偏光板１０単体の透過損失が生じるので、黒表示時の輝度は、
黒表示＝単体＝０．１ｃｄ／ｍ2×０．４３２＝０．０４３２ｃｄ／ｍ2となる。
【００３８】
よって、コントラスト＝１６２．７／０．０４３２＝３７６６
と大幅に改善できることが分かる。この場合、図６に示した表示装置の透過率は、
白表示＝１６２．７／５００＝３２．５４％
黒表示＝０．０４３２／５００＝０．００８６４％
となる。
【００３９】
よって、偏光板８一枚のときの透過率は０．０２％であるが、偏光板１０を設けたことにより、０．００８６４％とその透過率を大幅に抑制することができる。
【００４０】
本発明においては、実施形態のように偏光度が９９．９５％等、偏光度の大きいものが適している。このように、偏光度が大きくて且つ同一の偏光板を液晶層の光の出射側に複数枚使用することにより、黒表示時の透過率を大幅に抑制することができる。
【００４１】
よって、黒浮きが抑制され、コントラストが向上し、コントラスト向上による視野角の向上も図れる。
【００４２】
本実施形態では出射光側に２枚の偏光板を配置したが、要求される仕様により３枚以上の偏光板を出射光側に配置するようにしても良い。しかし、偏光板の偏光軸の平行使用時の輝度低下が生じることは避けられないので、白表示時の輝度に注意を払う必要がある。
【００４３】
光の出射側の平行板配置間隔は光の散乱を防ぐ意味からできるだけ近づけた方が良く、２枚の偏光板を一体的に接着したものが望ましい。
【００４４】
図７は本発明第１実施形態の液晶表示装置３０の概略断面図を示している。符号３２は液晶パネルであり、一対のガラス基板３４，３６と、これら一対のガラス基板３４，３６間に封入された液晶層３８とから構成される。ガラス基板３４，３６表面には良く知られたように透明電極が形成されている。
【００４５】
液晶パネル３０の入射光側には第１の偏光軸を有する偏光板４０が接着されている。液晶パネル３０の出射光側には偏光板ユニット４６が接着されている。偏光板ユニット４６は、偏光板４０の第１の偏光軸と直交する第２の偏光軸をそれぞれ有する２枚の偏光板４２，４４を接着して構成されている。偏光板４２と偏光板４４は同一の偏光度を有しており、その偏光度は例えば９９．９５％である。
【００４６】
図８（Ａ）に偏光板ユニット４６の断面構成を示す。偏光板ユニット４６は、液晶パネル３２側から順に、粘着剤２０、トリアセチルセルロースから形成された保護層２２、ポリビニルアルコール膜から形成された偏光子２４、保護層２６、粘着剤２０、保護層２２、偏光子２４、保護層２６及び保護フィルム２８を積層して構成されている。偏光板４２の粘着剤２０が液晶パネル３２に接着される。
【００４７】
代替案として、図８（Ｂ）に示すように、偏光板４２が保護層２６の上に積層された保護フィルム２８を有していても良い。偏光板４２の保護フィルム２８上に偏光板４４の粘着剤２０が接着される。
【００４８】
図９は本発明第２実施形態の液晶表示装置３０Ａの概略断面図を示している。本実施形態では、液晶パネル３２に偏光板４２が接着され、偏光板４２にタッチパネルガラス基板５０が接着され、タッチパネルガラス基板５０に偏光板４４が接着されている。
【００４９】
図７に示した第１実施形態と同様に、本実施形態の偏光板４２と４４は同一の偏光軸及び同一の偏光度を有しており、その偏光軸は液晶パネル３２の入射光側に配置された偏光板４０の偏光軸と直交している。
【００５０】
第１及び第２実施形態の液晶表示装置３０，３０Ａによると、黒表示時の偏光板４２，４４の透過率を大幅に抑制することができ、その結果黒浮きが防止され、コントラストを向上することができる。
【００５１】
図１０は比較例の液晶表示装置３０Ｂの概略断面図を示している。この比較例によると、液晶パネル３２の入射光側に互いに平行な偏光軸を有する２枚の偏光板４０，５２が配置されている。偏光板５２が液晶パネル３２に接着され、偏光板４０が偏光板５２に接着されている。
【００５２】
この比較例のように、液晶パネル３２の入射光側に複数の偏光板４０，５２を配置しても同様の効果があるが、光の最終出口である出射光側の偏光板４２までに液晶層３８やガラス基板３４，３６があるため、それらを透過する際に光が拡散するので、出射光側に複数枚の偏光板を配置した構成よりも効果が落ちる。
【００５３】
図１１（Ａ）〜図１１（Ｄ）は、本発明の液晶表示装置を採用した電子機器を例示している。図１１（Ａ）に示すように、液晶表示装置５６はＬＣＤモニタ５４のディスプレイとして採用され、図１１（Ｂ）に示すように、液晶表示装置６０はノートブックパソコン５８の表示装置として採用される。
【００５４】
さらに、図１１（Ｃ）に示すように、液晶表示装置６４はＰＤＡ６２のディスプレイとして採用され、図１１（Ｄ）に示すように、液晶表示装置６８は携帯電話６６のディスプレイとして採用される。
【００５５】
本発明は以下の付記を含むものである。
【００５６】
（付記１）  液晶層と、
該液晶層の第１の面に配置されると共に、第１の偏光軸を有する第１偏光板と、
該液晶層の第２の面に配置されると共に、該第１の偏光軸と直交する第２の偏光軸と第１の偏光度を有する第２偏光板と、
該第２偏光板に直接的あるいは間接的に重ねて配置されると共に、該第２の偏光軸と該第１の偏光度を有する第３偏光板と、
を具備したことを特徴とする液晶表示装置。
【００５７】
（付記２）  一対の透明基板と該一対の透明基板間に封入された液晶層を有する液晶パネルと、
該液晶パネルの第１の面に配置されると共に、第１の偏光軸を有する第１偏光板と、
該液晶パネルの第２の面に配置されると共に、該第１の偏光軸と直交する第２の偏光軸と第１の偏光度を有する第２偏光板と、
該第２偏光板に直接的あるいは間接的に重ねて配置されると共に、該第２の偏光軸と該第１の偏光度を有する第３偏光板と、
を具備したことを特徴とする液晶表示装置。
【００５８】
（付記３）  前記第２及び第３偏光板は、前記液晶層側から順に第１粘着剤層と、該第１粘着剤層上に配置された第１保護層と、該第１保護層上に配置された第１偏光子と、該第１偏光子上に配置された第２保護層と、該第２保護層上に配置された第２粘着剤層と、該第２粘着剤層上に配置された第３保護層と、該第３保護層上に配置された第２偏光子と、該第２偏光子上に配置された第４保護層と、該第４保護層上に配置された第１保護フィルムとから構成される付記２記載の液晶表示装置。
【００５９】
（付記４）  前記第２及び第３偏光板は、前記第２保護層と前記第２粘着剤層との間に介装された第２保護フィルムを更に含む付記３記載の液晶表示装置。
【００６０】
（付記５）  前記第２偏光板と前記第３偏光板の間に介装されたタッチパネルを更に具備し、
該タッチパネルは前記第２偏光板に接着され、前記第３偏光板は前記タッチパネルに接着されている付記１記載の液晶表示装置。
【００６１】
（付記６）  一対の透明基板と該一対の透明基板間に封入された液晶層を有する液晶パネルと、
該液晶パネルの第１の面に配置されると共に、第１の偏光軸を有する第１偏光板と、
該液晶パネルの第２の面に配置されると共に、該第１の偏光軸と直交する第２の偏光軸と第１の偏光度を有する第２偏光板と、
該第２偏光板に直接的あるいは間接的に重ねて配置されると共に、該第２の偏光軸と該第１の偏光度を有する第３偏光板と、
を具備したことを特徴とする液晶表示装置。
【００６２】
（付記７）  前記第３偏光板は前記第２偏光板に接着されている付記６記載の液晶表示装置。
【００６３】
（付記８）  前記第２及び第３偏光板は、前記液晶パネル側から順に第１粘着剤層と、該第１粘着剤層上に配置された第１保護層と、該第１保護層上に配置された第１偏光子と、該第１偏光子上に配置された第２保護層と、該第２保護層上に配置された第２粘着剤層と、該第２粘着剤層上に配置された第３保護層と、該第３保護層上に配置された第２偏光子と、該第２偏光子上に配置された第４保護層と、該第４保護層上に配置された保護フィルムとから構成される付記７記載の液晶表示装置。
【００６４】
（付記９）  前記第２偏光板と前記第３偏光板の間に介装されたタッチパネルを更に具備し、
前記第２偏光板は前記液晶ユニットに接着され、前記タッチパネルは前記第２偏光板に接着され、前記第３偏光板は前記タッチパネルに接着されている付記６記載の液晶表示装置。
【００６５】
（付記１０）  液晶表示装置を有する電子機器であって、
前記液晶表示装置は、
液晶層と、
該液晶層の第１の面に配置されると共に、第１の偏光軸を有する第１偏光板と、
該液晶層の第２の面に配置されると共に、該第１の偏光軸と直交する第２の偏光軸と第１の偏光度を有する第２偏光板と、
該第２偏光板に直接的あるいは間接的に重ねて配置されると共に、該第２の偏光軸と該第１の偏光度を有する第３偏光板と、
を具備したことを特徴とする電子機器。
【００６６】
【発明の効果】
本発明は以上詳述したように構成したので、白の透過率を低下させずに黒レベル光を抑制することができるため、表示画像のコントラストが向上し、コントラスト向上による視野角の向上も図ることができる。
【図面の簡単な説明】
【図１】白表示時の従来の液晶表示装置の動作を説明する図である。
【図２】黒表示時の従来の液晶表示装置の動作を説明する図である。
【図３】本発明の原理を示す図である。
【図４】バックライト装置断面図である。
【図５】偏光板の断面図である。
【図６】本発明液晶表示装置による白表示時の輝度を説明する図である。
【図７】本発明第１実施形態の概略断面図である。
【図８】図８（Ａ）は偏光板ユニットの断面図、図８（Ｂ）は他の偏光板ユニットの断面図である。
【図９】本発明第２実施形態の概略断面図である。
【図１０】          比較例の概略断面図である。
【図１１】図１１（Ａ）はＬＣＤモニタを示す図、図１１（Ｂ）はノートブックパソコンを示す図、図１１（Ｃ）はＰＤＡを示す図、図１１（Ｄ）は携帯電話を示す図である。
【符号の説明】
２  バックライト装置
４，８，１０  偏光板
６  液晶層
２０  粘着剤
２２，２６  保護層
２４  偏光子
２８  保護フィルム
３０，３０Ａ，３０Ｂ  液晶表示装置
３２  液晶パネル
３４，３６  ガラス基板
３８  液晶層
４０，４２，４４  偏光板
４６  偏光板ユニット
４８  タッチパネル付き偏光板ユニット
５０  タッチパネルガラス基板
【図１】
0003801890.tif 000003
【図２】
0003801890.tif 000004
【図３】
0003801890.tif 000005
【図４】
0003801890.tif 000006
【図５】
0003801890.tif 000007
【図６】
0003801890.tif 000008
【図７】
0003801890.tif 000009
【図８】
0003801890.tif 000010
【図９】
0003801890.tif 000011
【図１０】
0003801890.tif 000012
【図１１】
0003801890.tif 000013